(57)【要約】【課題】使用者が起立した状態で筆記等を安定的に行うことができ、更に携行性も向上した支持付きボードを提供する。【解決手段】本発明の支持付きボード１０は、ボード本体１１と、支持部１４と、を具備している。支持部１４は、第１支持部分１５と、複数の第２支持部分１６等と、を有する。また、第１支持部分１５と第２支持部分１６とは第１関節２２を介して回動可能に連結され、第２支持部分１６等同士は第１関節２２とは異なる方向で回動する第２関節２３等を介して回動可能に連結される。収納形態では、支持部の第１関節２２および第２関節２３等は曲折状態とされる。使用形態では、支持部１４の第１関節２２および第２関節２３等は伸張状態とされる。【選択図】図１
2019150999.tif 000002
【特許請求の範囲】
【請求項１】
略平坦な第１主面と、前記第１主面に対向する第２主面と、を有するボード本体と、
前記ボード本体の前記第２主面側に取り付けられ、収納形態と使用形態とに変態可能であり、前記使用形態に於いて前記ボード本体を支える支持部と、を具備し、
前記支持部は、前記ボード本体の前記第２主面側に固定された第１支持部分と、前記第１支持部分に連結された複数の第２支持部分と、を有し、
前記第１支持部分と前記第２支持部分とは、第１関節を介して回動可能に連結され、
前記第２支持部分同士は、前記第１関節とは異なる方向で回動する第２関節を介して回動可能に連結され、
前記収納形態では、前記支持部の前記第１関節および前記第２関節は曲折状態とされ、
前記使用形態では、前記支持部の前記第１関節および前記第２関節は伸張状態とされることを特徴とする支持付きボード。
【請求項２】
前記ボード本体は、第１方向で相対向する第１側辺および第２側辺と、前記第１方向に直交する第２方向で相対向する第３側辺および第４側辺と、を有し、
前記収納形態では、前記第２支持部分は、前記ボード本体の前記各側辺に沿って配置するように収納されることを特徴とする請求項１に記載の支持付きボード。
【請求項３】
前記収納形態に於いて、前記支持部の前記第２関節は、前記ボード本体の角部の近傍に配置されることを特徴とする請求項１または請求項２に記載の支持付きボード。
【請求項４】
前記収納形態に於いて、前記支持部の前記第２支持部分の長手方向は、前記ボード本体の側辺に対して略平行となることを特徴とする請求項１から請求項３の何れかに記載の支持付きボード。
【請求項５】
前記収納形態に於いて、前記支持部の前記第２支持部分の外側側辺と、前記ボード本体の側辺とが重畳することを特徴とする請求項１から請求項４の何れかに記載の支持付きボード。
【請求項６】
前記第１関節および前記第２関節は、回動孔と、前記回動孔に挿入される回動軸と、前記回動孔の一部を外側に向かって窪ませた係合凹部と、前記回動軸の一部を外側に向かって突出させた係合凸部と、を有することを特徴とする請求項１から請求項５の何れかに記載の支持付きボード。
【請求項７】
前記係合凹部は、略９０度の角度間隔を有するように複数が形成されることを特徴とする請求項６に記載の支持付きボード。
【発明の詳細な説明】
【技術分野】
【０００１】
本発明は、使用者が起立した状態で安定して筆記等を行うことを可能とする支持付きボードに関する。
【背景技術】
【０００２】
従来から、紙片やノートに筆記や描画を行う際には、使用者は、クリップボード等に紙片等を載置し、この状態で紙片等に筆記等を行っていた。このようにすることで、筆記等を行う際の安定性を向上することができた。
【０００３】
しかしながら、従来のクリップボードでは、紙や筆記具に力がうまく伝わらず、筆圧が弱いことより綺麗な文字を書くことは困難であった。更に、クリップボード自体が不用意に動き、紙がずれてしまことにより、好適に筆記することが困難になることもあった。
【０００４】
上記のような課題に対処するべく、以下の特許文献１および特許文献２に、支持部を有するボード類が提案されている。
【０００５】
特許文献１には、板状体の裏面にスタンド体を配設しているクリップ付き支持脚装置が記載されている。当該装置を使用する際には、板状体の裏面でスタンド体を組み立て、スタンド体が接地面に接することで、板状体が所定の傾斜状態で支持される。また、板状体の正面には用紙を配置することができ、板状体の上辺近傍に設置されたクリップ体で、用紙は板状板に固定される。かかる構成により、板状体を立てかけた状態で指示することができた。
【０００６】
特許文献２には、板体の裏面に、板体を傾斜して位置固定するための傾斜装置を有するデスクマットが記載されている。このようにすることで、デスクマットを傾斜した状態で位置固定することができ、傾斜したデスクマットに本などを載置することで、読み易さおよび書き易さを向上することができた。
【先行技術文献】
【特許文献】
【０００７】
【特許文献１】実開平２−２１８４号公報
【特許文献２】実開昭５８−１３６３８９号公報
【発明の概要】
【発明が解決しようとする課題】
【０００８】
しかしながら、上記した各特許文献に記載された発明では、筆記用ボードに対する使用者の要望を充分に満たすことができない場合があった。
【０００９】
具体的には野外などで使用者が筆記等を行う場合には、筆記用ボートの上面にクリップなどで紙片を固定し、使用者はクリップを保持しつつ紙片に対して筆記等を行う。ここで、野外に於いては、使用者は起立した状態で活動する場合が殆どであり、そのような場合に於いては、上記した各文献に記載された固定構造を用いて紙片を安定して保持することは困難であった。
【００１０】
更に、上記課題に対処するべく、筆記用ボートの裏面側に長い棒状の棒状支持部を取り付けた場合、長い棒状支持部が筆記用ボートの携行性や収納性を阻害してしまう恐れがあった。
【００１１】
本発明は上記した課題を鑑みてなされ、本願発明の主たる目的は、使用者が起立した状態で安定的に筆記等を行うことができ、且つ、携行性および収納性が向上された支持付きボードを提供することにある。
【課題を解決するための手段】
【００１２】
本発明の支持付きボードは、略平坦な第１主面と、前記第１主面に対向する第２主面と、を有するボード本体と、前記ボード本体の前記第２主面側に取り付けられ、収納形態と使用形態とに変態可能であり、前記使用形態に於いて前記ボード本体を支える支持部と、を具備し、前記支持部は、前記ボード本体の前記第２主面側に固定された第１支持部分と、前記第１支持体に連結された複数の第２支持部分と、を有し、前記第１支持部分と前記第２支持部分とは、第１関節を介して回動可能に連結され、前記第２支持部分同士は、前記第１関節とは異なる方向で回動する第２関節を介して回動可能に連結され、前記収納形態では、前記支持部の前記第１関節および前記第２関節は曲折状態とされ、前記使用形態では、前記支持部の前記第１関節および前記第２関節は伸張状態とされることを特徴とする。
【００１３】
また、本発明の支持付きボードでは、前記ボード本体は、第１方向で相対向する第１側辺および第２側辺と、前記第１方向に直交する第２方向で相対向する第３側辺および第４側辺と、を有し、前記収納形態では、第２支持部分は、前記ボード本体の前記各側辺に沿って配置するように収納されることを特徴とする。
【００１４】
また、本発明の支持付きボードでは、前記収納形態に於いて、前記支持部の前記第２関節は、前記ボード本体の角部の近傍に配置されることを特徴とする。
【００１５】
また、本発明の支持付きボードでは、前記収納形態に於いて、前記支持部の前記第２支持部分の長手方向は、前記ボード本体の側辺に対して略平行となることを特徴とする。
【００１６】
また、本発明の支持付きボードでは、前記収納形態に於いて、前記支持部の前記第２支持部分の外側側辺と、前記ボード本体の側辺とが重畳することを特徴とする。
【００１７】
また、本発明の支持付きボードでは、前記第１関節および前記第２関節は、回動孔と、前記回動孔に挿入される回動軸と、前記回動孔の一部を外側に向かって窪ませた係合凹部と、前記回動軸の一部を外側に向かって突出させた係合凸部と、を有することを特徴とする。
【００１８】
また、本発明の支持付きボードでは、前記係合凹部は、略９０度の角度間隔を有するように複数が形成されることを特徴とする。
【発明の効果】
【００１９】
本発明の支持付きボードは、略平坦な第１主面と、前記第１主面に対向する第２主面と、を有するボード本体と、前記ボード本体の前記第２主面側に取り付けられ、収納形態と使用形態とに変態可能であり、前記使用形態に於いて前記ボード本体を支える支持部と、を具備し、前記支持部は、前記ボード本体の前記第２主面側に固定された第１支持部分と、前記第１支持体に連結された複数の第２支持部分と、を有し、前記第１支持部分と前記第２支持部分とは、第１関節を介して回動可能に連結され、前記第２支持部分同士は、前記第１関節とは異なる方向で回動する第２関節を介して回動可能に連結され、前記収納形態では、前記支持部の前記第１関節および前記第２関節は曲折状態とされ、前記使用形態では、前記支持部の前記第１関節および前記第２関節は伸張状態とされることを特徴とする。従って、回動する方向が異なる第１関節および第２関節を支持部が有することで、収納形態に於いて支持部をボード本体の第２主面に沿って曲折させることができる。よって、収納形態とされた支持付きボードが占有する占有容積を小さくすることができ、携行性および収納性を向上することができる。また、使用形態に於いては、支持部の第１関節および第２関節を伸張させることで、支持部をボード本体の第２主面にから長く突起させることができる。よって、支持部の先端部を地面に接地させることでボード本体を安定させ、ボード本体の第１主面にノートなどを載置し安定して筆記することができる。
【００２０】
また、本発明の支持付きボードでは、前記ボード本体は、第１方向で相対向する第１側辺および第２側辺と、前記第１方向に直交する第２方向で相対向する第３側辺および第４側辺と、を有し、前記収納形態では、第２支持部分は、前記ボード本体の前記各側辺に沿って配置するように収納されることを特徴とする。従って、支持部の第２支持部分をボード本体の側辺に沿って配置することで、長い第２支持部分をよりコンパクトに収納することができ、ボード本体に対して長い支持部を確保することができる。
【００２１】
また、本発明の支持付きボードでは、前記収納形態に於いて、前記支持部の前記第２関節は、前記ボード本体の角部の近傍に配置されることを特徴とする。従って、収納形態にて、前記ボードの側辺に沿って支持部の第２支持部分を収納させることができ、第２支持部分をコンパクトに収納することができる。
【００２２】
また、本発明の支持付きボードでは、前記収納形態に於いて、前記支持部の前記第２支持部分の長手方向は、前記ボード本体の側辺に対して略平行となることを特徴とする。従って、収納形態にて、支持部の第２支持部分をコンパクトに収納することができる。
【００２３】
また、本発明の支持付きボードでは、前記収納形態に於いて、前記支持部の前記第２支持部分の外側側辺と、前記ボード本体の側辺とが重畳することを特徴とする。従って、支持部の第２支持部分をより長く確保でき、更に、ボード本体と支持部との一体感から醸し出される外観意匠性を向上することができる。
【００２４】
また、本発明の支持付きボードでは、前記第１関節および前記第２関節は、回動孔と、前記回動孔に挿入される回動軸と、前記回動孔の一部を外側に向かって窪ませた係合凹部と、前記回動軸の一部を外側に向かって突出させた係合凸部と、を有することを特徴とする。従って、回動軸の係合凸部が、回動孔の係合凹部に係合することで、第１関節および第２関節の回動が規制され、各支持部分が不用意に回動してしまうことを抑制することができる。
【００２５】
また、本発明の支持付きボードでは、前記係合凹部は、略９０度の角度間隔を有するように複数が形成されることを特徴とする。従って、収納形態に於いては、回動軸の係合凸部が回動孔の係合凹部に係合することで、各支持部分の不用意な回動が抑止され、各支持部分をコンパクトな形態に保持することができる。また、使用形態に於いては、回動軸の係合凸部が、回動孔の他の係合凹部に係合することで、各支持部分の不用意な回動が抑止され、各間接が座屈してしまうことを抑止することができる。
【図面の簡単な説明】
【００２６】
【図１】本発明の実施形態に係る支持付きボードの収納形態を示す斜視図である。
【図２】本発明の実施形態に係る支持付きボードの収納形態を示す分解斜視図である。
【図３】本発明の実施形態に係る支持付きボードの使用形態を示す斜視図である。
【図４】本発明の実施形態に係る支持付きボードを示す図であり、（Ａ）は第２支持部分を示す斜視図であり、（Ｂ）は第２支持部分を示す切断斜視図であり、（Ｃ）は第１支持部分を示す斜視図である。
【図５】本発明の実施形態に係る支持付きボードを示す図であり、（Ａ）は第２関節を示す分解斜視図であり、（Ｂ）はその拡大図である。
【発明を実施するための形態】
【００２７】
以下に図を参照して、本実施形態に係る支持付きボード１０の構成等を説明する。以下の説明では、Ｘ方向、Ｙ方向およびＺ方向の各方向を適宜用いる。Ｘ方向は、後述するボード本体１１の第１側辺２８および第２側辺２９に対して平行である。Ｙ方向は、後述するボード本体１１の第３側辺３０および第４側辺３１に対して平行である。Ｚ方向は、後述するボード本体１１の厚み方向に対して平行である。また、Ｘ方向、Ｙ方向およびＺ方向は、相互に直交している。更に以下の説明では、同一の部材には原則として同一の符番を用い、繰り返しの説明を省略する。
【００２８】
図１に支持付きボード１０の収納形態を示す。本実施形態に係る支持付きボード１０は、収納形態と使用形態とに変態可能とされている。収納形態とは、後述する支持部１４を曲折させ、この曲折状態の支持部１４をボード本体１１に密着させた形態である。使用形態とは、後述する支持部１４を直線状に伸張展開させ、支持部１４をボード本体１１から突起させた形態である。この使用形態は、図３を参照して後述する。
【００２９】
支持付きボード１０は、ボード本体１１と、使用形態にてボード本体１１を支持する支持部１４と、から主要に構成されている。支持付きボード１０は、使用者が筆記や描画を行うために用いる筆記補助用具である。また、支持付きボード１０は、後述する使用形態とすることで、野外等にて使用者が起立した状態のまま、支持付きボード１０にノート等を載置し、安定して筆記することができる。また、支持付きボード１０は、図１に示すような収納形態することで、占有するスペースを小さくすることができ、ビジネスバッグ等の収納用具に容易に収納することができ、更に、本棚などの矮小なスペースで保管することができる。
【００３０】
支持部１４は、ボード本体１１側から、第１支持部分１５、第２支持部分１６、第２支持部分１７、第２支持部分１８、第２支持部分１９、第２支持部分２０および第２支持部分２１を有している。また、第１支持部分１５と第２支持部分１６とは第１関節２２で回動可能に連結されている。更に、第２支持部分１６、第２支持部分１７、第２支持部分１８、第２支持部分１９、第２支持部分２０および第２支持部分２１は、第２関節２３、第２関節２４、第２関節２５、第２関節２６および第２関節２７で回動可能に連結されている。
【００３１】
ここで、第１関節２２と第２関節２３等では回動方向が直交している。具体的には、第１関節２２は、第１支持部分１５に対して第２支持部分１６を、Ｙ−Ｚ平面に沿って略９０度の範囲で回動させる。一方、第２関節２３は、第２支持部分１６に対して第２支持部分１７を、Ｘ−Ｙ平面に沿って略９０度の範囲で回動させる。かかる事項は、第２関節２４等の関節に関しても同様である。このようにすることで、収納形態に於いて、扁平する略直方体形状を呈する支持部１４を、ボード本体１１の主面に密着させることができる。換言すると、第２支持部分１６等の最大面をボード本体１１に密着させることができ、第２支持部分１６等の−Ｚ方向への突出量を少なくすることができる。よって、支持部１４をコンパクトに収納することができる。
【００３２】
この図に示す収納形態では、支持部１４を構成する各支持部分は、各関節に於いて略９０度に曲折された曲折状態とされている。このようにすることで、曲折状態である支持部１４を、ボード本体１１の主面に沿って配設することができ、支持付きボード１０全体が一枚の板状体を呈するようになり、収納形態に於ける支持付きボード１０の占有容積を極めて小さくすることができる。
【００３３】
図２は、上記した支持付きボード１０の収納形態を示す分解斜視図である。この図を参照して、ボード本体１１は、Ｘ方向に沿って伸びて相対向する第１側辺２８および第２側辺２９と、Ｙ方向に沿って伸びて相対向する第３側辺３０および第４側辺３１と、を有する。ボード本体１１は、Ｚ方向から見た場合、四角形形状を呈しており、例えばＡ４やＢ５等よりも若干広い大きさとされている。ボード本体１１の大きさをこのようにすることで、汎用性が高いＡ４やＢ５の紙片やノートを、ボード本体１１に載置することができ、その利便性を向上することができる。
【００３４】
ボード本体１１は、合成樹脂板または金属板から成り、＋Ｚ方向を向く第１主面１２と、−Ｚ方向を向く第２主面１３と、を有している。第１主面１２は、使用者が筆記等を行うべく紙片やノートを載置する面であるので、平坦面とされている。第２主面１３の略中央部には、第１支持部分１５が取り付けられている。第１支持部分１５は、ボード本体１１の一部として一体的に形成されても良いし、接着や嵌合等の接合構造によりボード本体１１に取り付けられた別部材であっても良い。なお、支持部１４を構成する各支持部分も、合成樹脂または金属から構成される。
【００３５】
収納形態に於いては、支持部１４の第２支持部分１８等の長手方向は、ボード本体１１の各側辺に対して平行とされている。具体的には、支持部１４の第２支持部分１８、第２支持部分１９、第２支持部分２０、第２支持部分２１の長手方向は、ボード本体１１の第３側辺３０、第２側辺２９、第４側辺３１、第１側辺２８と略平行とされている。このようにすることで、ボード本体１１の各側辺に沿って各支持部分を延在させることができ、支持部１４をコンパクトに収納することができる。
【００３６】
更に、収納形態に於いては、支持部１４の第２支持部分１８等の外側辺は、ボード本体１１の各側辺と略重畳している。具体的には、支持部１４の第２支持部分１８、第２支持部分１９、第２支持部分２０、第２支持部分２１の外側側辺は、ボード本体１１の第３側辺３０、第２側辺２９、第４側辺３１、第１側辺２８と略重畳している。このようにすることで、ボード本体１１に対して、支持部１４を長く確保することができる。更には、支持部１４の外縁部と、ボード本体１１の外縁部とが略一致することから、外観意匠的に一体感を得ることができる。
【００３７】
また、支持部１４の第２関節２５、第２関節２６および第２関節２７は、ボード本体１１の角部付近に配置されている。更に、第２関節２５、第２関節２６および第２関節２７に於いて、支持部１４は略９０度の角度で曲折している。このようにすることで、ボード本体１１の角部に沿って、支持部１４を曲折することができ、支持部１４をコンパクトに収納する効果を顕著にすることができる。
【００３８】
図３に、使用形態に於ける支持付きボード１０の斜視図を示す。ここでは、支持部１４が直線状に展開されることで、支持付きボード１０は使用形態となっている。具体的には、第１関節２２、第２関節２３、第２関節２４、第２関節２５、第２関節２６および第２関節２７を略９０度回動させることで、支持部１４が直線状となっている。
【００３９】
使用形態では、支持部１４の−Ｚ側の端部を地面等に接地させることで、ボード本体１１を安定化させている。この状態でボード本体１１の第１主面１２に紙片やノート等を載置し、使用者は紙片等に対して筆記等を行うことができる。支持部１４の長さは、成人男性の腰の高さにボード本体１１が一致する程度とされており、例えば、１ｍ程度とされる。支持部１４の端部が接地していることで、ボード本体１１の上下方向に於ける位置が固定されるので、使用者は筆記作業や描画作業を安定して行うことができる。
【００４０】
図４を参照して、図３に示した第１関節２２を構成する第２支持部分１６および第１支持部分１５の各部位を説明する。図４（Ａ）は第２支持部分１６を示す斜視図であり、図４（Ｂ）は第２支持部分１６切断斜視図であり、図４（Ｃ）は第１支持部分１５を示す斜視図である。
【００４１】
図４（Ａ）を参照して、第２支持部分１６は、Ｙ方向に長手方向を有する略直方体形状を呈し、−Ｙ側の端部に第１回動溝３３が形成されている。また、第１回動溝３３の内部には第１回動軸３６が配置されている。
【００４２】
図４（Ｂ）を参照して、第１回動溝３３の内部に形成される第１回動軸３６は、Ｘ方向に沿って中心軸を有する略円筒形状を呈しており、その外径は、後述する第１支持部分１５の第１回動孔３５と同等とされている。第１回動軸３６の外縁を部分的に＋Ｙ側に向かって突出させることで、係合凸部５１が形成されている。係合凸部５１は、略三角形形状に突出し、後述する第１支持部分１５の係合凹部４０等と係合する。
【００４３】
図４（Ｃ）を参照して、第１支持部分１５は、上記したボード本体１１の第２主面１３から−Ｚ方向に向かって舌形状に突出している。また、第１支持部分１５は、第１回動片３４として形成されている。第１支持部分１５の−Ｚ側の外縁は略１／２円形状とされている。このようにすることで、上記した第１回動溝３３に第１回動片３４が挿入された状態で、第２支持部分１６が回動することを可能としている。第１回動片３４の略中央部分を略円形に貫通することで第１回動孔３５が形成されている。また、第１回動孔３５を部分的に外側に向かって広げることで、係合凹部３９および係合凹部４０が形成されている。＋Ｘ方向から見た場合、係合凹部３９および係合凹部４０は、外側に頂点を有する略三角形形状を呈している。係合凹部３９は第１回動孔３５の−Ｚ側の端部側に形成され、係合凹部４０は第１回動孔３５の＋Ｙ側の端部側に形成されている。即ち、係合凹部３９と係合凹部４０とは、略９０度の角度間隔を有している。
【００４４】
支持付きボード１０が収納形態の際には、第２支持部分１６の第１回動軸３６に形成された係合凸部５１は、第１支持部分１５の係合凹部４０に係合している。よって、係る係合により第２支持部分１６の回動が規制され、第２支持部分１６が上記したボード本体１１に密着した状態が保持される。
【００４５】
一方、支持付きボード１０が使用形態の際には、第２支持部分１６の第１回動軸３６に形成された係合凸部５１は、第１支持部分１５の係合凹部３９に係合している。係る係合により、第２支持部分１６の回動が規制され、第２支持部分１６が上記したボード本体１１に対して立設された状態が保持される。
【００４６】
また、図４（Ａ）を参照して、第２支持部分１６の支持部分本体３２の−Ｙ側端部には湾曲部３８が形成されている。湾曲部３８は、支持部分本体３２の−Ｙ側面の＋Ｚ側部分を湾曲化した部分である。＋Ｘ側から湾曲部３８を見たら、湾曲部３８は略１／４円形状を呈している。湾曲部３８を形成することにより、第１回動軸３６を回動中心として第２支持部分１６をスムーズに回動させることが出来る。
【００４７】
一方、支持部分本体３２の−Ｙ側面の−Ｚ側部分は、略平坦な平坦部４１とされている。このようにすることで、＋Ｘ側からの視点に於いて、収納形態から使用形態に変態するべく、第２支持部分１６を反時計回りに回動させると、平坦部４１が上記したボード本体１１の第２主面１３に当接することで、第２支持部分１６をボード本体１１に対して略垂直に立設させることが出来る。
【００４８】
図５を参照して、第２支持部分１６と第２支持部分１７とを連結する第２関節２３の構成を説明する。図５（Ａ）は第２支持部分１６と第２支持部分１７とを分離して示す分解斜視図であり、図５（Ｂ）は第２関節２３を拡大して示す拡大斜視図である。
【００４９】
図５（Ａ）を参照して、第２関節２３は、第２支持部分１６と第２支持部分１７とを回動可能に連結する接続部である。第２関節２３は、第２支持部分１６に形成された第２回動溝４５および第２回動孔４７と、第２支持部分１７に形成された第２回動片４６および第２回動軸４８から構成されている。
【００５０】
第２回動溝４５は、第２支持部分１６の支持部分本体３２の＋Ｙ側部分に形成された溝であり、支持部分本体３２をＸ方向に貫通している。第２回動孔４７は、支持部分本体３２の＋Ｙ側部分をＺ方向に貫通する略円形の貫通孔である。また、支持部分本体３２の＋Ｙ側端部の＋Ｘ側部分には、湾曲部４２が形成されている。−Ｚ方向から見た湾曲部４２は略１／４円形状とされている。支持部分本体３２の＋Ｙ側端部の＋Ｘ側部分には、略平坦な平坦部４９が形成されている。
【００５１】
第２回動片４６は第２支持部分１７の−Ｙ側端部を舌状に伸ばした部位であり、第２支持部分１６の第２回動溝４５に挿入される。第２回動片４６の−Ｙ側端部の＋Ｘ側には湾曲部５３が形成されており、このようにすることで、第２回動溝４５の内部で第２回動片４６が回動することを可能としている。湾曲部５３は、−Ｚ方向から見たら略１／４円形状を呈している。
【００５２】
第２回動軸４８は、第２回動片４６の−Ｚ側面を略円柱状に突出させることで形成される。第２回動軸４８は、第２回動片４６の＋Ｚ側面にも同様に形成される。第２回動片４６を第２回動溝４５に嵌め込むと、第２回動軸４８は第２回動孔４７に挿入される。
【００５３】
また、第２回動片４６を第２回動溝４５に嵌め込むと、第２支持部分１６の平坦部４９が、第２支持部分１７の平坦部５０に当接する。これにより、−Ｚ側から第２関節２３を見た場合、第２回動孔４７を回動中心にして、図５（Ａ）に示す直線状態（使用形態）から、第２支持部分１７が反時計回りに回動することが防止されている。一方、第２支持部分１６の＋Ｙ側端部には湾曲部４２が形成されており、第２関節２７の−Ｙ側端部には湾曲部５３が形成されていることから、−Ｚ側から第２関節２３を見た場合、第２回動孔４７を回動中心にして、図５（Ａ）に示す直線状態（使用形態）から、第２支持部分１７は時計回りに回動することは可能とされている。
【００５４】
図５（Ｂ）を参照して、第２支持部分１６の第２回動孔４７には係合凹部４３および係合凹部４４が形成されている。係合凹部４３および係合凹部４４は、第２回動孔４７を部分的に外側に向かって略三角形形状に窪ませて形成されている。係合凹部４３は第２回動孔４７の＋Ｙ側端部に形成され、係合凹部４４は第２回動孔４７の＋Ｘ側端部に形成されている。即ち係合凹部４３と係合凹部４４とは、略９０度の角度間隔を有している。また、第２回動軸４８の＋Ｙ側端部を、半径方向外側に向かって略三角形状に突出させて係合凸部５２が形成されている。
【００５５】
この図に示す直線状態（使用形態）では、第２回動軸４８の係合凸部５２は、第２回動孔４７の係合凹部４３に係合している。これにより、第２関節２３における不用意な回動が防止され、図３に示した支持部１４の使用形態が維持され、ボード本体１１を強固に支持部１４で支持することができ、使用者はボード本体１１の第１主面１２で快適に筆記等を行うことができる。
【００５６】
一方、第２関節２３で第２支持部分１７を略直角に曲折させる収納形態では、第２回動片４６の係合凸部５２は、第２回動孔４７の係合凹部４４に係合する。これにより、第２関節２３における不用意な回動が防止され、図１に示した支持部１４の収納形態が維持され、支持部１４がコンパクトに収納され、使用者は支持付きボード１０を快適に携行することができる。ここで、上記した係合凸部５２、係合凹部４３および係合凹部４４の係合強度は、使用者が第２支持部分１７を回動させることで、容易に解くことができる程度とされている。
【００５７】
また、上記した構成は、図３に示す他の第２関節２４等に関しても同様である。
【００５８】
以上、本発明の実施形態を示したが、本発明は、上記実施形態に限定されるものではない。
【符号の説明】
【００５９】
１０   支持付きボード
１１   ボード本体
１２   第１主面
１３   第２主面
１４   支持部
１５   第１支持部分
１６   第２支持部分
１７   第２支持部分
１８   第２支持部分
１９   第２支持部分
２０   第２支持部分
２１   第２支持部分
２２   第１関節
２３   第２関節
２４   第２関節
２５   第２関節
２６   第２関節
２７   第２関節
２８   第１側辺
２９   第２側辺
３０   第３側辺
３１   第４側辺
３２   支持部分本体
３３   第１回動溝
３４   第１回動片
３５   第１回動孔
３６   第１回動軸
３８   湾曲部
３９   係合凹部
４０   係合凹部
４１   平坦部
４２   湾曲部
４３   係合凹部
４４   係合凹部
４５   第２回動溝
４６   第２回動片
４７   第２回動孔
４８   第２回動軸
４９   平坦部
５０   平坦部
５１   係合凸部
５２   係合凸部
５３   湾曲部
【図１】
2019150999.tif 000003
【図２】
2019150999.tif 000004
【図３】
2019150999.tif 000005
【図４】
2019150999.tif 000006
【図５】
2019150999.tif 000007